(57)【要約】 【課題】指針式計器の枠を構成する枠部と指針式計器の一部を表す計器画像とを移動させたときの見た目が悪くなることを防止した計器装置を提供する。【解決手段】計器装置の制御部は、指針式計器本体２０Ｌの枠部が位置Ａにあるときには領域Ａに指標部１３Ｌを表示し、枠部が位置Ｂにあるときには領域Ｂに指標部１３Ｌを表示する。また、制御部は、枠部が位置Ａから位置Ｂに移動する間では、指標部１３Ｌを、計測値を視認できないように変形させながら領域Ａから領域Ｂに移動させる。【選択図】図１２
2013137283.tif 000002
【特許請求の範囲】
【請求項１】
車両情報をユーザに視認させる指針式計器の一部を表す計器画像を表示する表示部と、
前記表示部の前面に位置し、前記計器画像を囲み、前記指針式計器の枠を構成する枠部と、
前記枠部を第１の位置から第２の位置に移動させる移動機構と、
前記枠部が前記第１の位置にあるときには、前記第１の位置にある前記枠部に囲まれる前記表示部の第１の領域に前記計器画像を表示し、前記枠部が前記第２の位置にあるときには、前記第２の位置にある前記枠部に囲まれる前記表示部の第２の領域に前記計器画像を表示する表示制御部と、を備え、
前記表示制御部は、前記枠部が前記第１の位置から前記第２の位置に移動する間では、前記計器画像を、前記車両情報を視認できないように変形させながら前記第１の領域から前記第２の領域に移動させる、
ことを特徴とする計器装置。
【請求項２】
前記表示制御部は、少なくとも前記計器画像を回転させることによって、前記計器画像を視認できないように変形させる、
ことを特徴とする請求項１に記載の計器装置。
【請求項３】
前記表示制御部は、少なくとも前記計器画像をぼかすことによって、前記計器画像を視認できないように変形させる、
ことを特徴とする請求項１に記載の計器装置。
【請求項４】
前記表示制御部は、変形させながら移動させる前記計器画像を前記枠部が前記第２の位置に移動させたあとに復元して前記第２の領域に表示する、
ことを特徴とする請求項１から３のいずれか１項に記載の計器装置。
【請求項５】
前記表示制御部は、少なくとも前記計器画像を変形させながら移動させる期間に、前記計器画像とは別に前記車両情報を前記表示部に表示する、
ことを特徴とする請求項１から４のいずれか１項に記載の計器装置。
【請求項６】
前記表示制御部は、少なくとも前記計器画像を一方向に引き延ばすことによって、前記計器画像を視認できないように変形させる、
ことを特徴とする請求項１に記載の計器装置。
【発明の詳細な説明】
【技術分野】
【０００１】
本発明は、計器装置に関する。 
【背景技術】
【０００２】
計器装置として、例えば、特許文献１には、表示画面における全表示領域の一部である第１の表示領域に第１の車両関連情報を示す画像を表示するディスプレイと、所定の表示移動指示信号に基づき、前記第１の表示領域に表示されている前記第１の車両関連情報を示す画像を、前記第１の表示領域から離れた第２の表示領域へ連続的に視認可能な速度で移動させて表示すると共に、移動後に空いた前記第１の表示領域に、前記第１の車両関連情報と異なる第２の車両関連情報を示す画像を表示するように制御する制御手段と、前記ディスプレイ上に配置され、前記第１の表示領域を取り囲み、前記第１の表示領域とそれ以外の表示領域とを仕切る表示仕切り機構と、前記表示仕切り機構を、前記第１の車両関連情報を示す画像の移動に同期して移動させる移動機構と、を備えたものが開示されている。 
【先行技術文献】
【特許文献】
【０００３】
【特許文献１】特開２００６−１３２９５０号公報
【発明の概要】
【発明が解決しようとする課題】
【０００４】
特許文献１に係る計器装置では、表示仕切り機構（指針式計器の枠を構成する枠部）を、第１の車両関連情報を示す画像（指針式計器の一部を表す計器画像）の移動に同期して移動させるが、この同期は、機構的な同期、あるいは電気制御的な同期を行うものでなく、見かけ上の同期、即ち、枠部の動きに合わせて単に計器画像の移動を合わせ込む一方的な制御（オープンリープ制御）となるため、例えば、枠部を移動させる移動機構の組み合わせ時の寸法誤差、あるいは移動機構のバックラッシュ誤差等によって、枠部が先又は後に移動してしまい、計器画像が枠部からはみ出してしまい、計器装置によって報知される車両情報を視認し難いことなど、枠部と計器画像とを移動させたときの見た目が悪い場合があった。
【０００５】
本発明は、上記実状に鑑みてなされたものであり、指針式計器の枠を構成する枠部と指針式計器の一部を表す計器画像とを移動させたときの見た目が悪くなることを防止した計器装置を提供することを目的とする。 
【課題を解決するための手段】
【０００６】
上記目的を達成するため本発明に係る計器装置は、 
車両情報をユーザに視認させる指針式計器の一部を表す計器画像を表示する表示部と、
前記表示部の前面に位置し、前記計器画像を囲み、前記指針式計器の枠を構成する枠部と、
前記枠部を第１の位置から第２の位置に移動させる移動機構と、
前記枠部が前記第１の位置にあるときには、前記第１の位置にある前記枠部に囲まれる前記表示部の第１の領域に前記計器画像を表示し、前記枠部が前記第２の位置にあるときには、前記第２の位置にある前記枠部に囲まれる前記表示部の第２の領域に前記計器画像を表示する表示制御部と、を備え、
前記表示制御部は、前記枠部が前記第１の位置から前記第２の位置に移動する間では、前記計器画像を、前記車両情報を視認できないように変形させながら前記第１の領域から前記第２の領域に移動させる、
ことを特徴とする。
【発明の効果】
【０００７】
本発明によれば、指針式計器の枠を構成する枠部と指針式計器の一部を表す計器画像とを移動させたときの見た目が悪くなることを防止できる。 
【図面の簡単な説明】
【０００８】
【図１】本発明の一実施形態に係る計器装置を表側から見た場合の正面図である。
【図２】図１の計器装置の外形を示す概略図であり、計器装置における第１駆動部、第２駆動部、第１伝達機構、第２伝達機構の各部の位置を説明するための説明図である。
【図３】（ａ）は、図２の計器装置を上側から見た場合の概略図である。（ｂ）は、図２の計器装置のＡ−Ａ線概略断面図である。
【図４】図１の計器装置における一部分（第1移動部材、第２移動部材、枠部、取り付け板、第１伝達機構、第２伝達機構）の位置関係を説明するための斜視図である。
【図５】（ａ）は、図１の計器装置を表側から見た場合の指針式計器本体を示した図である。（ｂ）は、指針式計器本体の図５（ａ）のＢ−Ｂ線概略断面図である。
【図６】本発明の一実施形態に係る計器装置の電気的構成を説明するためのブロック図である。
【図７】制御部が実行する表示状態変更処理のフローチャートである。
【図８】（ａ）は、指針式計器本体と、第１検出部と、第２検出と、の位置関係を示す図である。（ｂ）は、図８（ａ）の状態において、計器装置を表側から見た場合の正面図である。
【図９】（ａ）は、指針式計器本体と、第１検出部と、第２検出と、の位置関係を示す図である。（ｂ）は、図９（ａ）の状態において、計器装置を表側から見た場合の正面図である。
【図１０】指標部を変形させるときの例を示す図である。
【図１１】指標部を変形させるときの例を示す図である。
【図１２】指針式計器本体を移動させたときにディスプレイ装置に表示される画面の遷移を説明するための図である。
【図１３】指針式計器本体を移動させたときにディスプレイ装置に表示される画面の遷移を説明するための図である。
【発明を実施するための形態】
【０００９】
本発明の一実施形態に係る計器装置について図面を参照して説明する。 本実施形態に係る計器装置１００は、車両に搭載される車両用計器であり、図１に示すように、２つの指針式計器１００Ｌ、１００Ｒを含む。指針式計器１００Ｌは、主に、スピードメーターとして機能するものであり、計器装置１００を正面から見た場合に左側に位置する。指針式計器１００Ｒは、主にタコメーターとして機能するものであり、計器装置１００を正面から見た場合に右側に位置する。以下、計器装置１００の構造を説明することによって、適宜、指針式計器１００Ｌ、１００Ｒの構造も説明する。
【００１０】
計器装置１００は、図２から図５に示すように、指針式計器本体２０Ｌ、２０Ｒと、移動機構４０と、ディスプレイ装置５０と、回路基板６０と、ケース体８０と、を備える。なお、以下では、図２に両端矢印で示すように、計器装置１００の表示面方向（つまり、計器装置１００に対するユーザ側方向）を「表」とし、表示面方向の反対側方向を「裏」とし、表示面を視認するユーザからみた場合の上下左右方向を、それぞれ、「上」、「下」、「左」、「右」として、説明する。
【００１１】
指針式計器本体２０Ｌは、指針式計器１００Ｌの本体となるものであり、指針駆動部２１Ｌと、第１マグネット体２２Ｌと、第２マグネット体２３Ｌと、指針ユニット２４Ｌと、光源２５Ｌと、台座２６Ｌと、透明部材２７Ｌと、枠部２８Ｌと、取り付け板２９Ｌａと、取り付け板２９Ｌｂと、を備える。第２マグネット体２３Ｌと、指針ユニット２４Ｌと、光源２５Ｌと、台座２６Ｌと、透明部材２７Ｌと、枠部２８Ｌと、取り付け板２９Ｌａと、取り付け板２９Ｌｂと、は、ディスプレイ装置５０の表側（前方）に位置している。
【００１２】
指針駆動部２１Ｌは、例えばステッピングモーターから構成され、図示しない配線によって、回路基板６０上に形成された後述の制御部７０と電気的に接続され、制御部７０の制御の下、計測値（車両情報の一例であり、ここでは車速）に応じて指針駆動部２１Ｌが備える回転軸２１Ｌａを回転させる。指針駆動部２１Ｌは、後述の第１移動板４１１の裏面側に設けられた基材Ｓに固定されている。回転軸２１Ｌａは、基材Ｓに設けられた孔部Ｓｏ、第１移動板４１１の開口部４１１ｅを貫いており、回転軸２１Ｌａの先端はディスプレイ装置５０の裏面近傍に位置する。 
【００１３】
第１マグネット体２２Ｌは、回転軸２１Ｌａの先端に取り付けられ、回転軸２１Ｌａの回転に伴い、回転する。このように取り付けられた第１マグネット体２２Ｌは、ディスプレイ装置５０のすぐ裏に位置する。第１マグネット体２２Ｌは、回転軸２１Ｌａ側のヨーク２２Ｌａと磁石２２Ｌｂとから構成され、磁力を効率良く第２のマグネット体２３Ｌに伝えるとともにヨーク２２Ｌａの透磁効果により、指針駆動部２１Ｌに対しては、磁気影響を与え難くしている。 
【００１４】
第２マグネット体２３Ｌは、後述の台座２６Ｌに回転可能に支持されており、ディスプレイ装置５０の表側であって、第１マグネット体２２Ｌと対向する位置に位置する。第２マグネット体２３Ｌは、磁石であり、第１マグネット体２２Ｌからのディスプレイ装置５０を透過した磁力によって、第１のマグネット体２２の回転に従って、回転する。また、第２マグネット体２３Ｌは、後述する指針ユニット２４Ｌの指針軸２４Ｌａを支持する。
【００１５】
指針ユニット２４Ｌは、第２マグネット体２３Ｌと一体に回転する指針部材であり、指針軸２４Ｌａと、導光指針２４Ｌｂと、指針キャップ２４Ｌｃと、を備える。指針軸２４Ｌａは、合成樹脂やアルミ等の非磁性金属などからなり、第２マグネット体２３Ｌに軸支される。導光指針２４Ｌｂは、無色透明又は有色透明の合成樹脂などからなり、指針軸２４Ｌａに嵌合などによって固定され、指針軸２４Ｌａ側の受光部（図示せず）で光源２５Ｌが出射した光を受け、受けた光を導光して出射する。このようにして、導光指針２４Ｌｂは、光源２５Ｌから出射される光によって全体的に発光する。指針キャップ２４Ｌｃは、導光指針２４Ｌｂの一部（指針軸２４Ｌａ近傍）を、指針軸２４Ｌａの軸方向表側から覆うようにして導光指針２４Ｌｂに取り付けられる。指針キャップ２４Ｌｃは、例えば、合成樹脂により形成された黒色のキャップであり、光を透過しないため、導光指針２４Ｌｂにおける指針キャップ２４Ｌｃに覆われた部分が出射する光を遮光する。 このため、指針ユニット２４Ｌでは、光源２５Ｌが発光すると、導光指針２４Ｌｂの指針キャップ２４Ｌｃに覆われていない部分（露出している部分）が光って見える。
【００１６】
光源２５Ｌは、指針軸２４Ｌａ近傍に配設される、１又は複数（例えば、２、３灯）のＬＥＤ（Light Emitting Diode）などから構成される。光源２５Ｌは、後述する台座２６Ｌに形成された回路部に取り付けられる。このように取り付けられた光源２５Ｌは、指針ユニット２４Ｌの直下（指針キャップ２４Ｌｃの裏側）に位置し、指針ユニット２４Ｌを照光する（導光指針２４Ｌｂの前記受光部に向け光を出射する）。光源２５Ｌは、後述する制御部７０の制御の下、発光又は消灯する。
【００１７】
台座２６Ｌは、合成樹脂などによって、例えば円錐台状に形成され、第２マグネット体２３Ｌを回転可能に保持する部材である。台座２６Ｌの内部には空洞の収納スペースが形成され、この収納スペースに第２マグネット体２３Ｌが回転可能に収納される。これによって、第２マグネット体２３Ｌは台座２６Ｌに回転可能に保持される。台座２６Ｌの表側（円錐台の底面）の中心部には、指針ユニット２４Ｌの指針軸２４Ｌａの軸径より一回り大きい開口径の孔部Ｌｏ３が形成されている。第２マグネット体２３Ｌに軸支された指針軸２４Ｌａは、この孔部Ｌｏ３を貫いている。台座２６Ｌは、例えば、裏側の面が蓋体となっており、前記空洞に指針軸２４Ｌａが軸支された第２マグネット体２３Ｌを収納し、蓋体によって前記空洞に蓋をすることによって、第２マグネット体２３Ｌは回転可能に収納される。また、台座２６Ｌは、図示しない所定の回路部を備え、この回路部に光源２５Ｌが実装され、一方、この回路部は後述の方法によって制御部７０と電気的に接続される。これによって、制御部７０は、回路部を介して光源２５Ｌの発光・消灯を制御する。
【００１８】
透明部材２７Ｌは、表側から見た場合に台座２６Ｌに対応する部分に貫通孔が形成された円板状の部材である。この貫通孔の内面が台座２６Ｌの外周面に接着剤などで接着されることなどによって、透明部材２７Ｌは台座２６Ｌに取り付けられている。透明部材２７Ｌは、無色透明又は有色透明である。なお、透明部材２７Ｌは、内側から外側に向かうにつれて、表側から裏側に向かうように、ディスプレイ装置７０の表面などに対して傾斜している形状（円錐台の側面のような形状）を有しているが、透明部材２７Ｌは、ディスプレイ装置７０の表面などと平行な面方向に延びる円平板形状（台座２６Ｌの部分が貫通孔になっている平らな円板形状など）であってもよい。
【００１９】
枠部２８Ｌは、透明部材２７Ｌの外縁（輪郭）に沿って円環状に設けられたものであり、指針式計器１００Ｌの枠を構成するものである。この枠は、後述の計器画像の表示領域と、計器画像の表示領域以外の領域とを仕切ることによって、指針式計器１００Ｌの枠を構成する。枠部２８Ｌは、ユーザが視認しやすいように、透明ではなく、所定の色（金属色など）を有する。
【００２０】
取り付け板２９Ｌａは、一端が枠部２８Ｌの外周面に取り付けられ、枠部２８Ｌから上方向に延在する板状部材であり、取り付け板２９Ｌｂは、一端が枠部２８Ｌの外周面に取り付けられ、枠部２８Ｌから下方向に延在する板状部材であり、両者はともに他端が後述の第１移動板４１１に取り付けられている。取り付け板２９Ｌａ及び取り付け板２９Ｌｂは、適宜、ユーザに視認され難いように無色透明であることが望ましい。これによって、枠部２８Ｌを浮いたように目立たせることが出来る。
【００２１】
透明部材２７Ｌ、枠部２８Ｌ、取り付け板２９Ｌａ、取り付け板２９Ｌｂは、例えば、合成樹脂などによって一体的に形成する。まず、透明部材２７Ｌ、枠部２８、取り付け板２９Ｌａ、取り付け板２９Ｌｂを組み合わせた部材と略同じ外形の透明な部材を合成樹脂などによって形成し、例えば、台座２６Ｌ、枠部２８に相当する部分を着色するなどすることによって、一体となった、透明部材２７Ｌ、枠部２８Ｌ、取り付け板２９Ｌａ、取り付け板２９Ｌｂを形成する。透明部材２７Ｌ、枠部２８Ｌ、取り付け板２９Ｌａ、取り付け板２９Ｌｂは、それぞれ、合成樹脂などによって、別体に形成され（例えば、枠部２８Ｌなどは、アルミ等の非磁性金属によって形成する。）、互いに取り付けられてもよい。また、台座２６L（特に回路部などを除いた部分）も、透明部材２７Ｌなどと一体的に形成されてもよい。
【００２２】
なお、例えば、台座２６Ｌには、光源２５Ｌが実装された回路部から台座２６Ｌ外部（透明部材２７Ｌよりも裏側の外部）に引き回された図示しない配線が設けられる。また、ＩＴＯ（Indium Tin Oxide）電極などの図示しない透明電極が、透明部材２７Ｌ、枠部２８Ｌ、取り付け板２９Ｌａ、取り付け板２９Ｌｂなどの裏面に形成される。この透明電極は、例えば、透明部材２７Ｌの裏面かつ台座２６の近傍から、取り付け板２９Ｌａの裏面の上端部又は取り付け板２９Ｌｂの裏面の下端部に達する。このように形成された透明電極の一端（台座２６Ｌ側の一端）は前記の回路部から引き回された配線と電気的に接続され、取り付け板２９Ｌａの上端部又は取り付け板２９Ｌｂの下端部側の他端は、図示しない適宜の配線によって後述の制御部７０に電気的に接続される。このようにして、光源２５Ｌと制御部７０とは、回路部、透明電極、配線などを介して電気的に接続され、なお、上記透明電極のうち、枠部２８Ｌに形成された部分は、アルミ電極などの他の不透明電極に置き換えてもよい。
【００２３】
指針式計器本体２０Ｒは、指針式計器１００Ｒの本体となるものであり、指針式計器本体２０Ｌと同様に、指針駆動部２１Ｒと、第１マグネット体と、第２マグネット体と、指針ユニット２４Ｒと、光源と、台座と、透明部材２７Ｒと、枠部２８Ｒと、取り付け板２９Ｒａと、取り付け板２９Ｒｂと、を備える。
【００２４】
指針式計器本体２０Ｌと、指針式計器本体２０Ｒとは、略同じ構造を有している。このため、指針式計器本体２０Ｒの詳細な説明は省略する（指針式計器本体２０Ｌの説明に準じる）。なお、上記計測値は、車速ではなく、エンジン回転数になる。
【００２５】
移動機構４０は、第１移動機構４１と、第２移動機構４２と、ガイドレール４３と、移動機構用筐体４４と、から構成される。 
【００２６】
第１移動機構４１は、指針式計器本体２０Ｌを左右方向にスライド移動させるための機構である。第１移動機構４１は、第１移動板４１１と、第１駆動部４１２と、第１伝達機構４１３と、第１検出ユニット４１４と、を備える。第２移動機構４２は、指針式計器本体２０Ｒを左右方向にスライド移動させるための機構である。第２移動機構４２は、第２移動板４２１と、第２駆動部４２２と、第２伝達機構４２３と、第２検出ユニット４２４と、を備える。 
【００２７】
第１移動板４１１は、合成樹脂やアルミ等の非磁性金属から形成され、左右方向にスライド移動するものである。第１移動板４１１は、上下方向に延び、ディスプレイ装置７０の裏側に位置する板状部材４１１ａと、この板状部材の両端からそれぞれ前方に張り出す張り出し部材４１１ｂ、４１１ｃと、板状部材４１１ａの裏面に形成され、第１伝達機構４１３の後述するタイミングベルト４１３ｃを挟持する挟持部４１１ｄと、を備える。また、第１移動板４１１には、指針駆動部２１Lの回転軸２１Ｌａを通すための貫通孔４１１ｅが設けられている。挟持部４１１ｄがタイミングベルト４１３ｃを挟持することによって、第１移動板４１１は、タイミングベルト４１３ｃに取り付けられている。また、第１移動板４１１は、板状部材４１１ａの表面に形成された凸部からなり、後述のガイドレール４３を摺動する摺動部４１１ｆが形成されている。
【００２８】
第１移動板４１１の裏面には、貫通孔４１１ｅの外周から立設する筒状の基材取付部Ｃ１が形成されている（基材取付部Ｃ１は、第１移動板４１１と別体でもよい）。基材取付部Ｃ１に基材Ｓ１が取り付けられ、基材Ｓ１に指針駆動部２１Lが取り付けられることで、指針駆動部２１Lは、第１移動板４１１の裏側に固定される。また、張り出し部材４１１ｂ、４１１ｃには、取り付け板２９Ｌａと取り付け板２９Ｌｂとがそれぞれ取り付けられる。これら構成によって、指針式計器本体２０Ｌは、第１移動板４１１に固定され、第１移動板４１１の左右方向へのスライド移動に伴って、左右方向にスライド移動する。
【００２９】
第２移動板４２１は、合成樹脂やアルミ等の非磁性金属から形成され、左右方向にスライド移動する。第２移動板４２１の構造は、第１移動板４１１と同様であり、詳細な説明は省略が、第２移動板４２１には、第１移動板４１１と同様の構造によって、指針式計器本体２０Ｒが第２移動板４２１に固定される。これによって、指針式計器本体２０Ｒは、第２移動板４２１に固定され、第２移動板４２１の左右方向へのスライド移動に伴って、左右方向にスライド移動する。また、第２移動板４２１の挟持部４２１ｄ（挟持部４１１ｄに対応する。）は、第２伝達機構４２３の後述するタイミングベルト４２３ｃを挟持する。これによって、第２移動板４２１は、タイミングベルト４２３ｃに取り付けられている。
【００３０】
第１駆動部４１２、第２駆動部４２２は、それぞれ、例えば、ステッピングモーターからなり、図示しない配線などによって、後述の制御部７０と電気的に接続される。第１駆動部４１２は、後述の制御部７０の制御の下、回転軸４１２ａを回転させる。同様に、第２駆動部４２２は、後述の制御部７０の制御の下、回転軸４２２ａを回転させる。第２駆動部４２２は、第１駆動部４１２の上に位置する。 
【００３１】
第１伝達機構４１３と第２伝達機構４２３とは、互いに、上下方向に所定の間隔を空けて配置される。第１伝達機構４１３は、第２伝達機構４２３の下側に位置する。 
【００３２】
第１伝達機構４１３は、左右方向に所定の間隔を空けて配置された２つのプーリー４１３ａ，４１３ｂと、両者に巻回されるタイミングベルト４１３ｃと、を備える。プーリー４１３ａは、計器装置１００の表側から見て右側に位置し、第１駆動部４１２の回転軸４１２ａに圧入され（ギアを介して締結されていてもよい）、回転軸４１２ａの回転に伴い回転する。プーリー４１３ｂは、図１に示すように、計器装置１００の表側から見て左側に位置し、移動機構用筐体４４に取り付けられた軸Ａ１に回転可能に保持される。タイミングベルト４１３ｃは、２つのプーリー４１３ａ，４１３ｂが空転しないように所定の張力をもって取り付けられるため、プーリー４１３ａが回転すると、タイミングベルト４１３ｃが動き、プーリー４１３ｂも同様に回転する。このようにして、第１伝達機構４１３は、第１駆動部４１２で発生した回転動力をスライド方向（左右方向）の動力（タイミングベルト４１３ｃの動き）に変換して、前述のようにタイミングベルト４１３ｃに取り付けられた第１移動板４１１（指針式計器本体２０Ｌ）をスライド移動させる。 
【００３３】
第２伝達機構４２３は、左右方向に所定の間隔を空けて配置された２つのプーリー４２３ａ，４２３ｂと、両者に巻回されるタイミングベルト４２３ｃと、を備える。プーリー４２３ａは、計器装置１００の表側から見て右側に位置し、第２駆動部４２２の回転軸４２２ａに圧入され（ギアを介して締結されていてもよい）、回転軸４２２ａの回転に伴い回転する。プーリー４２３ｂは、図１に示すように、計器装置１００の表側から見て左側に位置し、移動機構用筐体４４に取り付けられた軸Ａ２に回転可能に保持される。タイミングベルト４２３ｃは、２つのプーリー４２３ａ，４２３ｂが空転しないように所定の張力をもって取り付けられるため、プーリー４２３ａが回転すると、タイミングベルト４１３ｃが動き、プーリー４２３ｂも同様に回転する。このようにして、第２伝達機構４２３は、第２駆動部４２２で発生した回転動力をスライド方向（左右方向）の動力（タイミングベルト４１３ｃの動き）に変換して、前述のようにタイミングベルト４２３ｃに取り付けられた第２移動板４２１（指針式計器本体２０Ｒ）をスライド移動させる。
【００３４】
図８、９に模式的に示す、第１検出ユニット４１４は、指針式計器本体２０Ｌの位置を検出するためのものであり、例えば、フォトリフレクタ（反射型フォトインタラプタ）から構成され、第１検出部４１４ａと第１検出ターゲット４１４ｂとを備える。同様に、第２検出ユニット４２４は、指針式計器本体２０Ｒの位置を検出するためのものであり、例えば、フォトリフレクタ（反射型フォトインタラプタ）から構成され、第２検出部４２４ａと第２検出ターゲット４２４ｂとから構成される。第１検出部４１４ａ、第２検出部４２４ａは、それぞれ、図示しない配線などによって後述の制御部７０に電気的に接続され、制御部７０の制御のもとで動作する。
【００３５】
第１検出部４１４ａ、第２検出部４２４ａは、それぞれ、例えば、赤外光を出射する発光素子（赤外ＬＥＤ）と受光素子（フォトトランジスタ）とを備える。第１検出ターゲット４１４ｂ、第２検出ターゲット４２４ｂは、それぞれ、例えば、赤外光を反射する反射部（鏡など）であり、第１検出部４１４ａ、第２検出部４２４ａそれぞれの検出対象部である。
【００３６】
第１検出部４１４ａは、第１検出ターゲット４１４ｂの存在を検出すると、検出信号を後述の制御部７０に供給する。具体的には、赤外光を照射する第１検出部４１４ａが、第１検出ターゲット４１４ｂに対向する位置に位置すると、第１検出ターゲット４１４ｂは、第１検出部４１４ａの発光素子が出射した赤外光を第１検出部４１４ａに向け反射させる。そして、第１検出部４１４ａは、その反射した光を受光素子で受光することにより、第１検出ターゲット４１４ｂの存在（第１検出ターゲット４１４ｂが対向したこと）を検出し、検出信号を制御部７０に供給する。
【００３７】
第１検出部４１４ａは、第１移動板４１１の所定箇所に取り付けられる。第１検出ターゲット４１４ｂは、指針式計器本体２０Ｌ（第１移動板４１１）の移動完了位置を定めるためのものであり、不動の箇所（例えば、移動機構用筐体４４の所定箇所）に複数取り付けられる。具体的には、図８、９に模式的に示すように、例えば、２つの第１検出ターゲット４１４ｂが、各々、左右方向に所定間隔を空けて配置される。第１検出部４１４ａと第１検出ターゲット４１４ｂとは、各々、計器装置１００の上下方向において同じ高さに配置され、第１移動板４１１がスライド移動し、第１検出部４１４ａが複数の第１検出ターゲット４１４ｂのいずれかと対向する位置にくると、第１検出部４１４ａが反応し、第１移動板４１１が対向して所定位置に位置した（つまり、第１部分３１が移動完了位置にある）ことを検知する。このようにして、第１検出ユニット４１４は、指針式計器本体２０Ｌ（第１移動板４１１）の位置を検出する。
【００３８】
第２検出部４２４ａは、第２検出ターゲット４２４ｂの存在を検出すると、検出信号を後述の制御部７０に供給する。具体的には、赤外光を照射する第２検出部４２４ａが、第２検出ターゲット４２４ｂに対向する位置に位置すると、第２検出ターゲット４２４ｂは、第２検出部４２４ａの発光素子が出射した赤外光を第２検出部４２４ａに向け反射させる。そして、第２検出部４２４ａは、その反射した光を受光素子で受光することにより、第２検出ターゲット４２４ｂの存在（第２検出ターゲット４２４ｂが対向したこと）を検出し、検出信号を制御部７０に供給する。
【００３９】
第２検出部４２４ａは、第２移動板４２１の所定箇所に取り付けられる。第２検出ターゲット４２４ｂは、指針式計器本体２０Ｒ（第２移動板４２１）の移動完了位置を定めるためのものであり、不動の箇所（例えば、移動機構用筐体４４の所定箇所）に複数取り付けられる。具体的には、図８、９に模式的に示すように、例えば、２つの第２検出ターゲット４２４ｂが、各々、左右方向に所定間隔を空けて配置される。第２検出部４２４ａと第２検出ターゲット４２４ｂとは、各々、計器装置１００の上下方向において同じ高さに配置され、第２移動板４２１がスライド移動し、第２検出部４２４ａが複数の第２検出ターゲット４２４ｂのいずれかと対向する位置にくると、第２検出部４２４ａが反応し、第２移動板４２１が対向して所定位置に位置したことを検知する。このようにして、第２検出ユニット４２４は、指針式計器本体２０Ｌ（第１移動板４１１）の位置を検出する。
【００４０】
第１移動板４１１、第２移動板４２１は、第１検出ターゲット４１４ｂ、第２検出ターゲット４２４ｂの配設位置を基準として停止する（移動完了する）ようにする。このため、第１伝達機構４１３と第２伝達機構４２３を構成する各部が、温度変化により膨張収縮したり、摩耗したりすることによっては、移動後の位置がずれることがなく、精度良く移動が可能である。このため、第１移動板４１１及び第２移動板４２１とディスプレイ装置８０との位置合わせが容易である。
【００４１】
２つの第１検出ターゲット４１４ｂは、それぞれ、左右方向において、計器装置１００の中央より左よりの所定位置（位置Ａ）と、左側所定位置（位置Ｂ）に配置される。第１移動板４１１は、第１検出ターゲット４１４ｂの配設位置を基準として停止する（移動完了する）ので、指針式計器本体２０Ｌは、位置Ａから位置Ｂにスライド移動したり、位置Ｂから位置Ａにスライド移動したりする（図８、９などを参照）。指針式計器本体２０Ｌの位置（特に位置Ａ及びＢ）などは、計器装置１００を表側から見た場合の位置であり、例えば、指針ユニット２４Ｌの指針軸２４Ｌａ（枠部２６Ｌに囲まれた領域の中心）の左右方向における位置とする。
【００４２】
２つの第２検出ターゲット４２４ｂは、それぞれ、左右方向において、計器装置１００の中央より右よりの所定位置（位置Ｃ）と、左側所定位置（位置Ｄ）に配置される。第２移動板４２１は、第２検出ターゲット４２４ｂの配設位置を基準として停止する（移動完了する）ので、指針式計器本体２０Ｒは、位置Ｃから位置Ｄにスライド移動したり、位置Ｄから位置Ｃにスライド移動したりする（図８、９などを参照）。指針式計器本体２０Ｒの位置（特に位置Ｃ及びＤ）は、計器装置１００を表側から見た場合の位置であり、例えば、指針ユニット２４Ｒの指針軸２４Ｒａ（枠部２６Ｌに囲まれた領域の中心）の左右方向における位置とする。
【００４３】
ガイドレール４３は、左右方向に延び、第１移動板４１１と第２移動板４２１とを、摩擦力の影響を極力抑えつつ左右方向に案内するレールであり、移動機構用筐体４４に取り付けられる。ガイドレール４３は、ステンレスにより形成することで、温度変化、振動が発生しても、スライド抵抗を抑えるようにするとよい。ガイドレール４３は、断面略コの字状に形成され、内部に第１移動板４１１の摺動部４１１ｆや第２移動板４２１の摺動部４２１ｆが入り込み、これらが摺動する。これによって、第１移動板４１１及び第２移動板４２１の移動方向が左右方向に案内される。
【００４４】
なお、本実施形態では、ガイドレール４３を、第１移動板４１１と第２移動板４２１とに共用のスライドレールとして説明したが、第１移動板４１１と第２移動板４２１とのそれぞれに独立したスライドレールを設けてもよい。 
【００４５】
移動機構用筐体４４は、第１移動機構４１、第２移動機構４２の少なくとも一部を内部に収納する共用の筐体であり、例えば、樹脂材料やアルミ等の非磁性金属から形成される。
【００４６】
ディスプレイ装置５０は、例えば１２．３インチのＴＦＴ（Thin Film Transistor）液晶ディスプレイ装置であり、後述する制御部７０の制御の下、指針ユニット２４Ｌに指示される指標部１３Ｌ、指針ユニット２４Ｒに指示される指標部１３Ｒなどの各種画像を表示する（図８、９などを参照）。指標部１３Ｌは、例えば、指針ユニット２４Ｌに指示される目盛、目盛の数値を表記する数字などから構成され、指針ユニット２４Ｌとともに所定の計測値（例えば、車速）をユーザに報知する。指標部１３Ｒは、例えば、指針ユニット２４Ｒに指示される目盛、目盛の数値を表記する数字などから構成され、指針ユニット２４Ｒとともに所定の計測値（例えば、エンジンの回転数）をユーザに報知する。なお、ディスプレイ装置５０は、指針式計器本体２０Ｌや指針式計器本体２０Ｒの移動に伴って、指標部１３Ｌ、指標部１３Ｒも移動させる（図８、９などを参照）。
【００４７】
本実施形態では、指針式計器本体２０Ｌと、指標部１３Ｌとによって、指針式計器１００Ｌが構成されている。また、指針式計器本体２０Ｒと、指標部１３Ｒとによって、指針式計器１００Ｒが構成されている。本実施形態では、指標部１３Ｌ、１３Ｒそれぞれが、指針式計器１００Ｌ、１００Ｒそれぞれの一部を表す計器画像となっている。
【００４８】
ディスプレイ装置５０は、ＴＦＴ液晶パネル、偏光板、バックライト、ディスプレイ用筐体等（図示せず）から構成され、例えば、ケース体８０に形成された取付部材（図示せず）に取り付けられて支持される。なお、ディスプレイ装置５０は、第１マグネット体２２Ｌ、２２Ｒと、第２マグネット体２３Ｌ、２３Ｒとのそれぞれの間で発生する磁気に悪影響を与えないように、非磁性体のものによって構成する。
【００４９】
回路基板６０は、板状の基材と、この基材に設けられた制御部７０と、この基材に設けられた車両情報入力ポート７３と、この基材に設けられたセンサ情報入力ポート７５と、この基材に設けられた各種配線などと、を備え、移動機構４０の裏側に位置する。回路基板６０は、ケース体８０の内面に支持される。制御部７０、車両情報入力ポート７３、センサ情報入力ポート７５などの詳細については後述する。
【００５０】
ケース体８０は、上記各部（ディスプレイ装置５０、指針式計器２０、移動機構４０、回路基板６０）を収納する筐体であり、収納体８１と、透明カバー８２と、から構成される。収納体８１は、表側開口の箱状部材であり、その開口部に透明カバー８２が取り付けられる。
【００５１】
次に、図７を参照して、計器装置１００の電気的構成について説明する。制御部７０には、車両情報入力ポート８１、センサ情報入力ポート８２、ディスプレイ装置５０、指針駆動部２１L、光源２５Ｌ、第１駆動部４１２及び第２駆動部４２２が電気的に接続されている。 
【００５２】
制御部７０は、マイコン７１と、グラフィックディスプレイコントローラー（ＧＤＣ）７２と、指針駆動部２１L、指針駆動部２１R、光源２５Ｌ、光源２５R、第１駆動部４１２、第２駆動部４２２、ディスプレイ装置５０のバックライト等と各種配線などを介して接続され、これらを駆動する各種ドライバＩＣ（Integrated Circuit）（図示せず）と、を備える。 
【００５３】
マイコン７１は、ＣＰＵ（Central Processing Unit）、ＲＯＭ（Read Only Memory）、ＲＡＭ（Random Access Memory）、入出力インターフェイス等を備える。マイコン７１は、例えば、ＣＰＵがＲＯＭ内に予め記憶された、所定プログラムを読み出して実行し、その際ＲＯＭに記憶されているデータなどを用いて、所定の処理（特に、表示状態変更処理）を実行する。ＲＡＭは、ＣＰＵが処理を行うときのワーキングメモリとして機能する。特に、マイコン７１（ＣＰＵ）には、車両情報入力ポート８１及びセンサ情報入力ポート８２が電気的に接続されており、これらから入力された各種情報を受け付ける。また、マイコン７１には、上記各種ドライバやＧＤＣ７２が電気的に接続されており、前記で受け付けた各種情報などに基づいて、上記各種ドライバやＧＤＣ７２を介して、計器装置１００全体を制御する処理を行う。つまり、制御部７０は、計器装置１００全体を制御する処理を行う。
【００５４】
車両情報入力ポート８１は、ｉ）車両ＥＣＵ（Electronic Control Unit）から通信ラインにより伝送される各種状態情報、ｉｉ）バックカメラから送信されるバックモニタ画像情報、ｉｉｉ）ユーザが、ハンドル周辺の操作スイッチ、インパネ周辺の各種コントロールスイッチ、計器装置１００に配設された入力スイッチ等を操作した際の操作内容を示す操作信号、等の車両情報が入力されるポートである。 
【００５５】
センサ情報入力ポート８２は、第１検出部４１４ａ及び第２検出部４２４ａからの検出信号が入力されるポートである。この検出信号は、ｉ）第１検出部４１４ａが第１検出ターゲット４１４ｂの存在を検出した際の検出信号と、ｉｉ）第２検出部４２４ａが第２検出ターゲット４２４ｂの存在を検出した際の検出信号である。
【００５６】
制御部７０は、ディスプレイ装置５０を制御し、表側から見た場合に、ディスプレイ装置５０における枠部２８Ｌに囲まれている領域に、指標部１３Ｌを表示する（透明部材２７Ｌによってディスプレイ装置５０の表示光は透過されるので、指標部１３Ｌは透明部材２７Ｌを介して視認可能なっている、）。例えば、制御部７０は、位置Ａに配置した第１検出部４１４ａから検出信号が供給されたときには、指針式計器本体２０Ｌが位置Ａにあると判定し、この位置Ａに指針式計器本体２０Ｌがあるときに枠部２８Ｌに囲まれているディスプレイ装置５０上の領域Ａに、指標部１３Ｌを表示する（図８などを参照）。例えば、制御部７０は、位置Ｂに配置した第１検出部４１４ａから検出信号が供給されたときには、指針式計器本体２０Ｌが位置Ｂにあると判定し、この位置Ｂに指針式計器本体２０Ｌがあるときに枠部２８Ｌに囲まれているディスプレイ装置５０上の領域Ｂに、指標部１３Ｌを表示する（図９などを参照）。
【００５７】
制御部７０は、ディスプレイ装置５０を制御し、表側から見た場合に、ディスプレイ装置５０における枠部２８Ｒに囲まれている領域に、指標部１３Ｒを表示する。例えば、制御部７０は、位置Ｂに配置した第２検出部４２４ａから検出信号が供給されたときには、指針式計器本体２０Ｒが位置Ｃにあると判定し、この位置Ｃに指針式計器本体２０Ｒがあるときに枠部２８Ｒに囲まれているディスプレイ装置５０上の領域Ｃに、指標部１３Ｒを表示する（図８などを参照）。例えば、制御部７０は、位置Ｄに配置した第２検出部４２４ａから検出信号が供給されたときには、指針式計器本体２０Ｒが位置Ｄにあると判定し、この位置Ｄに指針式計器本体２０Ｒがあるときに枠部２８Ｒに囲まれているディスプレイ装置５０上の領域Ｄに、指標部１３Ｒを表示する（図９などを参照）。
【００５８】
また、制御部７０は、車両情報入力ポート８１を介して、車速を表す状態情報を取得し、この車速に応じた回転角で指針駆動部２１Ｌの回転軸２１Ｌａを回転させる。回転軸２１Ｌａに伴って、第１マグネット体２２Ｌと第２マグネット体２３Ｌと指針ユニット２４Ｌとが回転し、指針ユニット２４Ｌは指標部１３Ｌを指示する。これによって、計測値（車速）が表示される（図８、９などを参照）。つまり、計測値がユーザに視認される。同様にして、制御部７０は、エンジンの回転数を表す状態情報を取得し、取得したこの状態情報に基づいて指針ユニット２４Ｌを回転させ、指針ユニット２４Ｒに指標部１３Ｒを指示させる（図８、９などを参照）。これによって、計測値（エンジンの回転数）が表示される。つまり、計測値がユーザに視認される。
【００５９】
なお、制御部７０は、上記指標部１３Ｌ、１３Ｒとは、別に、車速をディスプレイ装置５０の所定領域に表示してもよい（例えば、図８、９などにおける車速１５を参照）。また、制御部７０は、車両情報入力ポート８１を介して、残燃料を表す状態情報や、燃費を表す状態情報などを取得し、これらを表す情報を適宜、指標部１３Ｌ、１３Ｒに含ませて表示させてもよい（図８、９などを参照）。
【００６０】
例えば、制御部７０は、通常状態においては、指針式計器本体２０Ｌを位置Ａに位置させ、指針式計器本体２０Ｒを位置Ｂに位置させる。また、制御部７０は、所定の場合（例えば、ディスプレイ装置５０の中央部にナビ画面を表示させる場合）に、指針式計器本体２０Ｌを位置Ｂに移動させ、指針式計器本体２０Ｒを位置Ｄに移動させる。制御部７０は、指針式計器本体２０Ｒ及び指針式計器本体２０Ｌを移動させることに伴って、ディスプレイ装置５０を制御し、領域Ａ及び領域Ｃにそれぞれ表示していた指標部１３Ｌ及び指標部１３Ｒを移動させ、最終的に、指標部１３Ｌ及び指標部１３Ｒを領域Ｂ及び領域Ｄそれぞれに表示する（表示状態変更処理）。
【００６１】
制御部７０が行う表示状態変更処理について説明する。制御部７０は指針式計器本体２０Ｒ及び指針式計器本体２０Ｌの移動を開始させること（例えば、操作信号などによってナビ画像を指針式計器本体２０Ｒと指針式計器本体２０Ｌとの間に表示させる指示が制御部７０にあったこと、図示しないカーナビゲーション機能からナビ画像を指針式計器本体２０Ｒと指針式計器本体２０Ｌとの間に表示させる指示が制御部７０にあったことなど）を契機としてこの処理を開始する。
【００６２】
まず、制御部７０は、第１駆動部４１２を駆動して回転軸４１２ａを回転させるとともに、第２駆動部４２２を駆動して回転軸４２２ａを回転させることを開始する（ステップＳ１）。これによって、第１移動板４１１及び第２移動板４２１の移動が開始され、指針式計器本体２０Ｒは、位置Ａから位置Ｂに向かって移動し始め、指針式計器本体２０Ｌは、位置Ｃから位置Ｄに向かって移動し始める。これ以降、制御部７０は、第１駆動部４１２及び第２駆動部４２２の駆動を継続し、指針式計器本体２０Ｒ及び指針式計器本体２０Ｌを移動させることを継続する。
【００６３】
次に、制御部７０は、ディスプレイ装置５０を制御し、指標部１３Ｌを領域Ａから領域Ｂに向かって移動させる制御を開始し、指標部１３Ｒを領域Ｃから領域Ｄに移動させる制御を開始する（ステップＳ２）。このとき、指標部１３Ｌ及び指標部１３Ｒを変形させて移動させる。なお、制御部７０は、これ以降、指標部１３Ｌ及び指標部１３Ｒの移動を継続する。移動させる際の表示態様は予め設定されているものとする（必要なデータは、マイコン７１内のＲＯＭなどに記憶されているものとする。）。
【００６４】
制御部７０は、指標部１３Ｌを領域Ａから領域Ｂに向かって移動させる制御において、指標部１３Ｌを左右方向に引き延ばして変形させ（図１０参照）、変形させた指標部１３Ｌを所定の軌跡（指標部１３Ｌの中心の軌跡）で領域Ｂまで移動させる（例えば、変形させた指標部１３Ｌの中心を領域Ｂの中心に位置させる）。このとき、指標部１３Ｌにエフェクト処理（例えば、ぼかし）を施したり、指標部１３Ｌを拡大、縮小などしたりしてもよい。また、制御部７０は、指標部１３Ｌを回転させてもよい（図１１参照）。このとき、制御部７０は、指標部１３Ｌの進行方向と同じ方向に向かう回転方向で指標部１３Ｌを回転させるとよい（図１１参照）。なお、制御部７０は、変形した指標部１３Ｌが領域Ｂに達した後、ステップＳ３において検出信号が供給されたと判別する（ステップＳ３；Ｙｅｓ）までは、指標部１３Ｌを領域Ｂで変形させたまま停止表示（指標部１３Ｌの位置が少なくとも停止するように指標部１３Ｌを表示すれば良く、その位置において回転や拡大縮小を繰り返すなど、指標部１３Ｌを位置が不変で変形させるようにしてもよい。）するように制御を行う。指針式計器本体２０Ｌが位置Ａから位置Ｂまで移動する期間は、ある程度決まっているので、制御部７０は、例えば、この期間よりも短い期間において、指標部１３Ｌを変形させながら領域Ｂに移動させるようにする。
【００６５】
制御部７０は、指標部１３Ｒを領域Ｃから領域Ｄに向かって移動させる制御において、指標部１３Ｒを左右方向に引き延ばして変形させ、変形させた指標部１３Ｒを所定の軌跡（指標部１３Ｒの中心の軌跡）で領域Ｄまで移動させる（例えば、変形させた指標部１３Ｒの中心を領域Ｄの中心に位置させる）。このとき、指標部１３Ｒにエフェクト処理（例えば、ぼかし）を施したり、指標部１３Ｒを拡大、縮小などしたりしてもよい。また、制御部７０は、指標部１３Ｒを回転させてもよい。このとき、制御部７０は、指標部１３Ｒの進行方向と同じ方向に向かう回転方向で指標部１３Ｒを回転させるとよい。なお、制御部７０は、変形した指標部１３Ｒが領域Ｄに達した後、ステップＳ５において検出信号が供給されたと判別する（ステップＳ５；Ｙｅｓ）までは、指標部１３Ｒを領域Ｄで変形させたまま停止表示（指標部１３Ｒの位置が少なくとも停止するように指標部１３Ｒを表示すれば良く、その位置において回転や拡大縮小を繰り返すなど、指標部１３Ｒを位置が不変で変形させるようにしてもよい。）するように制御を行う。指針式計器本体２０Ｒが位置Ｃから位置Ｄまで移動する期間は、ある程度決まっているので、制御部７０は、例えば、この期間よりも短い期間において、指標部１３Ｒを変形させながら領域Ｄに移動させるようにする。
【００６６】
次に、制御部７０は、位置Ｂに配置した第１検出部４１４ａから検出信号が供給されたかを判別し（ステップＳ３）、検出信号が供給された場合（ステップＳ３；Ｙｅｓ）、指針式計器本体２０Ｌが位置Ｂに移動したことになるので、第１駆動部４１２の駆動を停止し、領域Ｂに位置し変形している指標部１３Ｌを領域Ｂにおいてもとの指標部１３Ｌに復元して領域Ｂに表示させることを開始する（ステップＳ４）。なお、ステップＳ３において、すでに、指標部１３Ｌを復元して表示させることを開始している場合には、検出信号が供給されていないと判別する（ステップＳ３；Ｎｏ）。
【００６７】
次に、制御部７０は、位置Ｄに配置した第２検出部４２４ａから検出信号が供給されたかを判別し（ステップＳ５）、検出信号が供給された場合（ステップＳ５；Ｙｅｓ）、指針式計器本体２０Ｒが位置Ｄに移動したことになるので、第２駆動部４２２の駆動を停止し、領域Ｄに位置し変形している指標部１３Ｒを領域Ｄにおいてもとの指標部１３Ｒに復元して領域Ｄに表示させることを開始する（ステップＳ６）。なお、ステップＳ５において、すでに、指標部１３Ｒを復元して表示させることを開始している場合には、検出信号が供給されていないと判別する（ステップＳ５；Ｎｏ）。
【００６８】
ステップＳ６のあと、または、前記検出信号が供給されていない場合（ステップＳ５；Ｎｏ）、制御部７０は、指標部１３Ｌ、指標部１３Ｒの領域Ｂ及び領域Ｄへの移動（復元及び表示）を完了したかを判別し（ステップＳ７）、完了していなければ（ステップＳ７；Ｎｏ）、ステップＳ３の処理に戻る。完了していれば（ステップＳ７；Ｙｅｓ）、表示状態変更処理を終了する。
【００６９】
上記一連の処理による計器装置１００の表示態様の一例を説明する。
【００７０】
図１２において、指針式計器本体２０Ｌ、２０Ｒは、それぞれ、位置Ａ及びＣに位置しており、制御部７０は、ディスプレイ装置５０の表示領域における、枠部２８Ｌ、２８Ｒそれぞれに囲まれた領域Ａ及びＣそれぞれに、指標部１３Ｌ、１３Ｒを表示する（図１２（ａ））。
【００７１】
次に制御部７０は、指針式計器本体２０Ｌ、２０Ｒの移動が開始されると、制御部７０は、指標部１３Ｌ、１３Ｒをぼかすとともに、左右に引き延ばす（図１２（ｂ））。
【００７２】
次に制御部７０は、前記で変形させた指標部１３Ｌ、１３Ｒを、領域Ｂ及びＤそれぞれに向かって移動させる（図１２（ｃ）及び（ｄ））。
【００７３】
次に制御部７０は、指針式計器本体２０Ｌ、２０Ｒそれぞれが位置Ｂ及びＤに到達すると、前記で変形させた指標部１３Ｌ、１３Ｒを、領域Ｂ及びＤにおいて復元して元の画像を表示する（図１２（ｅ））。
【００７４】
なお、指針式計器本体２０Ｌ、２０Ｒが移動すると、その間にナビ画像１９が徐々に表示される。また、指針式計器本体２０Ｌ、２０Ｒの移動の前後（指標部１３Ｌ、１３Ｒ）の移動の前後にかかわらず車速１５が表示されている。
【００７５】
上記一連の処理による計器装置１００の表示態様の一例を説明する。
【００７６】
図１３において、指針式計器本体２０Ｌ、２０Ｒは、それぞれ、位置Ａ及びＣに位置しており、制御部７０は、ディスプレイ装置５０の表示領域における、枠部２８Ｌ、２８Ｒそれぞれに囲まれた領域Ａ及びＣそれぞれに、指標部１３Ｌ、１３Ｒを表示する（図１３（ａ））。
【００７７】
次に制御部７０は、指針式計器本体２０Ｌ、２０Ｒの移動が開始されると、制御部７０は、指標部１３Ｌ、１３Ｒをぼかすとともに、縮小させて、回転させる（図１３（ｂ））。
【００７８】
次に制御部７０は、前記で変形させた指標部１３Ｌ、１３Ｒを、領域Ｂ及びＤそれぞれに向かって移動させる（図１２（ｃ））。
【００７９】
次に制御部７０は、指針式計器本体２０Ｌ、２０Ｒそれぞれが位置Ｂ及びＤに到達すると、前記で変形させた指標部１３Ｌ、１３Ｒを、領域Ｂ及びＤにおいて復元して元の画像を表示する（図１２（ｄ））。
【００８０】
なお、指針式計器本体２０Ｌ、２０Ｒが移動すると、その間にナビ画像１９が徐々に表示される。また、指針式計器本体２０Ｌ、２０Ｒの移動の前後（指標部１３Ｌ、１３Ｒ）の移動の前後にかかわらず車速１５が表示されている。
【００８１】
また、制御部７０は、所定の場合（例えば、ディスプレイ装置５０の中央部におけるナビ画面の表示を終了させる場合）に、指針式計器本体２０Ｌを位置Ｂから位置Ａに移動させ、指針式計器本体２０Ｒを位置Ｄから位置Ｃに移動させる。制御部７０は、指針式計器本体２０Ｒ及び指針式計器本体２０Ｌを移動させることに伴って、ディスプレイ装置５０を制御し、領域Ｂ及び領域Ｄにそれぞれ表示していた指標部１３Ｌ及び指標部１３Ｒを移動させ、最終的に、指標部１３Ｌ及び指標部１３Ｒを領域Ａ及び領域Ｃそれぞれに表示する。なお、このような処理は、上記と同様の処理によって実現できる。但し、例えば、指針式計器本体２０Ｌ、２０Ｒ、指標部１３Ｌ、１３Ｒなどの移動方向は反対になり、位置Ａに配置した第１検出部４１４ａから検出信号が供給されたかを判別することで、指針式計器本体２０Ｌが位置Ａに移動したことを判別し、位置Ｃに配置した第２検出部４２４ａから検出信号が供給されたかを判別することで、指針式計器本体２０Ｒが位置Ｃに移動したことを判別する。
【００８２】
本実施形態にかかる計器装置１は、上記構成によって、 計測値をユーザに視認させる指針式計器１００Ｌなどの一部を表す計器画像（ここでは、指標部１３Ｌなど）を表示する表示部（ここでは、ディスプレイ装置５０）と、表示部の前面に位置し、計器画像を囲み、指針式計器の枠を構成する枠部と、枠部を第１の位置（ここでは、位置Ａなど）から第２の位置（ここでは、位置Ｂなど）に移動させる移動機構（ここでは、第１移動機構４１など）と、枠部が第１の位置にあるときには、第１の位置にある枠部に囲まれる表示部の第１の領域（ここでは、領域Ａなど）に計器画像を表示し、枠部が第２の位置にあるときには、第２の位置にある枠部に囲まれる表示部の第２の領域（ここでは、領域Ｂなど）に計器画像を表示する表示制御部（ここでは、制御部７０）と、を備え、表示制御部は、枠部が第１の位置から第２の位置に移動する間では、計器画像を、左右方向に引き延ばしたり、回転させたり、拡大、縮小させたり、エフェクト処理によってぼかしたりする等して枠部と計器画像との関連を無くすなどすることによって計測値を視認できないように変形させながら第１の領域から第２の領域に移動させる。また、計器画像を、左右方向に引き延ばしたり、回転させたり、拡大、縮小させたり、エフェクト処理によってぼかしたりする等して、計器画像を視認出来ないように変形させてもよい（図１２、図１３などを参照）。計器画像を視認出来ないように変形させるとは、例えば、計器画像に含まれる目盛、文字、記号などを視認（判別）できないように計器画像を変形させることや、変形後の計器画像を見たときに目盛、文字、記号などは視認（判別）できるが、もとの計器画像を想像できない又は想像し難いように計器画像を変形させることを適宜含む。計測値又は計器画像を視認できないように計器画像を変形させる具体的な方法は、計器画像を、少なくとも一方向に引き延ばしたり、回転させたり、拡大、縮小させたり、エフェクト処理によってぼかしたりする方法のうち、少なくとも１つを行うことであればよい。例えば、計器画像を少なくとも一方向に引き延ばすことで、計測値又は計器画像を視認できないように計器画像を変形させてもよいし、計器画像を少なくとも一方向に引き延ばすか、回転させるか、拡大縮小させるかなどを行い、さらにぼかすことで、計測値又は計器画像を視認できないように計器画像を変形させてもよい。少なくともぼかすことで、計測値又は計器画像を視認できないように計器画像を変形させてもよい。
【００８３】
このような構成によって、本実施形態では、計測値又は計器画像を視認できないように計器画像を変形させながら第１の領域から第２の領域に移動させるので、計器画像（変形していない画像）と枠部とが移動時にずれて計器画像（変形していない画像）が枠部からはみ出ることによって、計測値を視認し難い等による見た目が悪くなることはそもそも防止される。計測値又は計器画像を視認できないように計器画像を変形させるので、計測値が視認できず、そもそも計測値を視認し難いということは生じないからである。特に、枠部を移動させる移動機構の組み合わせ時の寸法誤差、あるいは移動機構のバックラッシュ誤差があったとしても、上記見た目が悪くなることが防止されるので、計器装置１００の生産性の向上や、歩留まりが向上する。さらに、計器画像を変形させながら第１の領域から第２の領域に移動させることによって、デザイン性もよい。
【００８４】
なお、計器画像を変形する際には、最低限、少なくとも一方向に計器画像を引き延ばすことによって、ユーザにデザイン性の良さを提供することもできる。また、同様に、最低限、計器画像を回転させることによっても、デザイン性が良くなる。なお、計器画像の回転方向は、計器画像の進行方向と同じ方向にするとよい（例えば、計器画像が左に進む場合には、計器画像を左回転させる。）。これによって、デザイン性が良くなる。また、計器画像を変形する際には、最低限、計器画像をぼかすことによっても、デザイン性が良くなる。
【００８５】
なお、計器画像を、計測値を視認できないように変形させながら移動させる際には、計器画像をつねに変形させながら移動させても良いし、計器画像を一旦変形させてから変形されたままの状態で移動させても良い。
【００８６】
また、上記構成によって、本実施形態では、表示制御部は、変形させながら移動させる計器画像を、枠部を第２の位置に移動させたあとに復元して第２の領域に表示するので、デザイン性がよくなる。特に、本実施形態のように、変形させながら移動させる計器画像を第２の領域に移動させてから復元するので、デザイン性がよくなる。また、計器画像を第２の領域で停止表示する際に、計器画像を位置が不変で変形させるようにすることによって、計器画像の動きが不自然に止まることもなく、デザイン性が良くなる。
【００８７】
さらに、本実施形態では、表示制御部は、少なくとも計器画像を変形させながら移動させる期間に、計器画像とは別に計測値（ここでは、車速１５）を前記表示部に表示する。これによって、枠部の移動中であっても、計測値をユーザに報知できる。特に、本実施形態のように、計測値が車速（車両の走行速度）である場合には、運転中に重要な情報である車速を枠部の移動中であってもユーザに報知できる。
【００８８】
なお、表示制御部は、枠部が第１の位置から第２の位置に移動する間において、枠部の軌道（枠部の中心の軌道など）とは異なる軌道（計器画像の中心の軌道など）で、計器画像を第１の領域から第２の領域に移動させるとよい（図１３参照）。これによっても、計測値をユーザは視認できないので、上記と同様の効果が得られる。また、計器画像を、変形させながら、枠部の軌道とは異なる軌道で移動させることで、デザイン性も良くなる。
【００８９】
なお、本発明は上記の実施形態、下記の変形例、及び図面によって限定されるものではない。適宜変更（構成要素の削除も含む）を加えることができるのはもちろんである。 
【００９０】
例えば、第１伝達機構４１３と第２伝達機構４２３とは、左右方向に一列に並べても良い。 
【００９１】
また、制御部７０は、指針式計器本体２０Ｌなどを移動させるときに、光源２５Ｌなどを消灯させるようにし、その他の場合には、光源２５Ｌを点灯するとよい。これによって、指針式計器本体２０Ｌなどを移動させるときにディスプレイ装置５０で表示される画像を目立たせることが出来るため、デザイン性が良くなる。
【００９２】
また、上記の計器画像は、指針式計器１００Ｌなどの一部（枠以外の部分の少なくとも一部）を表すものであればよく、指標部１３Ｌなどの他、指針を含むものであってもよい。この場合、指針式計器本体２０Ｌなどでは、指針ユニット２４Ｌなどの指針に係る部分が不要になり、透明部材２７Ｌも適宜省略できる。
【００９３】
また、指針式計器本体２０Ｌなどの移動方向は、上下方向、斜め方向等であってもよい。移動方向は、計器装置１００の形状等を勘案して、適宜変更することができる。 
【００９４】
また、枠部２７Ｌ、２８Ｒは、計器画像を囲むものであればよく、楕円環状形状、矩形環状形状、多角形の環状形状になることで、計器画像を囲んでもよい。枠部２７Ｌ、２８Ｒは、不連続のものであってもよい。
【００９５】
また、上記実施形態では、指針駆動部２１Lに取り付けられた第１マグネット体２２Ｌの磁力より、第２マグネット体２３Ｌを回転させる例を示したが、これに限られない。 
第２マグネット体２３Ｌに一対のコイルを巻き回して、これら一対のコイルへ通電により、第２マグネット体２３Ｌを回転させる（つまり、指針ユニット２４Ｌを回転させる）ようにしてもよい。前記一対のコイルは、例えば、適宜の配線によって制御部７０と接続される。この場合、指針駆動部２１L、第１マグネット体２２Ｌ、基材Ｓは不要である。 
【００９６】
上記実施形態では、計器装置が車両に搭載される車両用計器である例を示したが、車両は、自動二輪車、自動車の他、耕作機械、電車等であってもよい。
【００９７】
また、上記実施形態では、指針式計器１００Ｌ、１００Ｒが報知する車両情報（指針式計器１００Ｌ、１００Ｒがユーザに視認させる車両情報）が計測値であるとして説明を行ったが、指針式計器がユーザに視認させる車両情報（指針（指針ユニット）が指標部を指示することでユーザに視認させる車両情報）は、計測値以外の情報であってもよい。車両情報は、車両についての情報（特に、車両の状態を表す情報）であればよい。 
【００９８】
また、上記実施形態では、制御部７０は、枠部が第２の位置に移動したことを所定の検出ユニットによって検出したことを契機として、計器画像を復元しているが、例えば、制御部７０は、予め定められた期間において、計器画像を変形させながら移動させ、前記期間の経過後に計器画像の復元を開始してもよい。これによって、検出ユニットなどの機構が不要になり、簡単な構成で、上記効果を適宜得られることができる。なお、前記期間は、枠部が第１の位置から第２の位置に移動するのに必要な期間であり、移動機構の組み合わせ時の寸法誤差、あるいは移動機構のバックラッシュ誤差などを考慮しても、枠部が第１の位置から第２の位置に移動するのに十分な期間とするとよい。これによって、枠部が第２の位置に移動する前に計器画像が復元されて見た目が悪くなることを防止できる。
【符号の説明】
【００９９】
１００    計器装置 
１００Ｌ  指針式計器装置
１００Ｒ  指針式計器装置
２０Ｌ、２０Ｒ    指針式計器本体
２１Ｌ、２１Ｒ    指針駆動部 
２４Ｌ、２４Ｒ    指針ユニット 
２８Ｌ、２８Ｒ    枠部
４０    移動機構 
４１    第１移動機構 
４１４  第１検出ユニット 
４２    第２移動機構 
４２４  第２検出ユニット 
４３    ガイドレール 
５０    ディスプレイ装置
７０    制御部
【図２】
2013137283.tif 000003
【図３】
2013137283.tif 000004
【図４】
2013137283.tif 000005
【図５】
2013137283.tif 000006
【図６】
2013137283.tif 000007
【図７】
2013137283.tif 000008
【図１０】
2013137283.tif 000009
【図１１】
2013137283.tif 000010
【図１】
2013137283.tif 000011
【図８】
2013137283.tif 000012
【図９】
2013137283.tif 000013
【図１２】
2013137283.tif 000014
【図１３】
2013137283.tif 000015